(57)【要約】【課題】クローラユニットの履帯をアウターアタッチメント、インナーアタッチメント、ベルト（三点）の最少点数で構成し、動力がなくても旋回がスムーズで、小さなプーリーでも走行に支障がないクローラユニットを提供する。【解決手段】複数のプーリー６を循回する履帯が設けられたクローラユニットにおいて、履帯は外周に複数のアウターアタッチメント２を帯状に設けて構成され、複数のアウターアタッチメント２の隣り合う側面の一方には規制凹部２ｄ、他方には規制突起２ｃが設けられ、前記規制凹部２ｄに規制突起２ｃが入り込んで、アウターアタッチメント２、２同士が位置決め規制される。【選択図】 図９
2019142485.tif 000002
【特許請求の範囲】
【請求項１】
複数のプーリーを循回する履帯が設けられたクローラユニットにおいて、
前記履帯は、外周に複数のアウターアタッチメントを帯状に設けて構成され、前記複数のアウターアタッチメントの隣り合う前後面の一方には規制凹部、他方には規制突起が設けられ、前記規制凹部に前記規制突起が入り込んで、前記アウターアタッチメント同士が位置決め規制されることを特徴とするクローラユニット。
【請求項２】
前記履帯に、所定位置に貫通孔を設けたベルト及びインナーアタッチメントが設けられ、前記アウターアタッチメントと前記インナーアタッチメントが前記貫通孔を介してベルトを挟むように合体して、外周に複数の前記アウターアタッチメントを帯状に設けた履帯に構成したことを特徴とする請求項１に記載のクローラユニット。
【請求項３】
前記アウターアタッチメントは、板状の基部と同基部の両端に突出して設けられたサイド部で成り、前記基部の上面に前記ベルトの貫通孔に対応する位置の嵌合穴が設けられ、且つ両端のサイド部間の外寄りの内部に係止穴が設けられ、前記インナーアタッチメントは、一対の下向きの係止片を有し、その係止片間は前記ベルトを上方から覆うのに十分な幅寸に設定され、前記係止片間の内部には下向きの突起を設け、インナーアタッチメントの前記突起がベルトの貫通孔を貫通し、アウターアタッチメントの前記嵌合穴に嵌合され、且つ前記係止片が係止穴に係止されて、アウターアタッチメントとインナーアタッチメントがベルトを挟むように合体されていることを特徴とする請求項２記載のクローラユニット。
【請求項４】
前記アウターアタッチメントの両端に突出するサイド部の間隔は、クローラユニット本体に取付けられたプーリーが納まるに十分な幅寸に設定され、前記アウターアタッチメントのサイド部近傍の基部の上面に接触する前記プーリーが回転する構成であることを特徴とする請求項１〜３のいずれか一に記載のクローラユニット。
【請求項５】
前記アウターアタッチメントのサイド部には、上方が先細る先端部が形成され、隣り合う当該アウターアタッチメントの前後面に設けられた突起又は突条同士が当接し、当該アウターアタッチメントがベルトに取付けられ、履帯が内方に曲がる際、隣り合う前記アウターアタッチメント同士は、サイド部の先細る先端部同士が内方に曲がることによりお互いに干渉しないで曲がり、履帯が外方に曲がる際、隣り合う前後の前記アウターアタッチメントの突起又は突条同士が当接して履帯がフラット状態を保つことを特徴とする請求項１〜４のいずれか一に記載のクローラユニット。
【請求項６】
前記アウターアタッチメントの地面との接触面は湾曲状に形成され、旋回に優れた構成とされている事を特徴とする請求項１〜５のいずれか一に記載のクローラユニット。
【請求項７】
前記履帯のアウターアタッチメントとインナーアタッチメントは、PA樹脂、ガラス入りPA樹脂、PBT樹脂、ガラス入りPBT樹脂、POM樹脂、ガラス入りPOM樹脂のいずれかの成形品であることを特徴とする請求項１〜６のいずれか一に記載のクローラユニット。
【請求項８】
請求項１〜７に記載のいずれかのクローラユニットを使用して構成されていることを特徴とする悪路用運搬台車。
【発明の詳細な説明】
【技術分野】
【０００１】
本発明は、クローラユニットとそれを使用した悪路用運搬台車の技術分野に関し、さらに言えば、軽量で旋回自在なクローラユニットを使用して、運送業（運輸、リネン、レンタル機器など）の配送全般や、個人使用の運搬台車・キャリーバッグの運搬用など、サイズを変えて様々な分野において利用に供され、とりわけ路面環境の悪い悪路に対応できる悪路用運搬台車に属する。
【背景技術】
【０００２】
従来から雪や砂、砂利等の悪路上でも荷物を積んで運搬し易い運搬台車の要望があり、本出願人も、特許文献１に係る走行手段可変運搬台車を開発した。この運搬台車は被運搬物を載置するための基台と、基台に設けられた取っ手と、基台の下面に脱着可能に設けられたキャスターユニット又は無限軌道ユニットとからなる走行手段可変運搬台車であり、同文献１の図３（Ａ）（Ｂ）に示す一般的な無限軌道ユニット３が採用されている。同文献１の符号を援用すると、無限軌道ユニット３は、無限軌道４と支持脚５と取付板６とで構成されている。図中の符号４ｃは無端レール、符号４ｄはローラ、符号４ｅは複数のローラ４ｄを支持するエレメント、符号４ｆはエレメント４ｅを等間隔に保持するベルト、符号５ａは無限軌道４を挟む脚部、符号１１は水平軸、符号１２はナット、をそれぞれ示している（請求項１、段落番号［００２３］、［００２４］参照）。
この特許文献１の運搬台車は、路面状態に応じて走行手段をキャスター又は無限軌道に簡易に変更できる等、種々の効果があるが、足回りの耐久性をさらに向上させることができれば、より有益であることは明らかである。
【０００３】
そこで、市販のクローラを検討したが、クローラとは動力ありきであって、車体重量も重く、クローラはかなり頑丈な構造に作られていた。そのため、従来のクローラのベルトは強度を保つ必要があって曲がりにくく、動力を用いずには、クローラをスムーズに旋回させることができない、といった弱点のあることが判った。
その上、悪路（主に降雪地等）では、一般的な台車のような車輪では搬送できず、さらに動力のあるクローラでは手軽さやスピード、車などへの積載と積み下しを考えた時に採用するには不向きである結論に至った。
【先行技術文献】
【特許文献】
【０００４】
【特許文献１】特開２０１７−７１３３６公報
【発明の概要】
【発明が解決しようとする課題】
【０００５】
前記従来タイプのクローラは、動力がある場合の地面との接地に関して、動力をうまく伝えてスリップ防止のために、ベルトの接地部には抵抗（ゴムや突起）を設ける必要がある。これは動力があれば旋回がスムーズにできるが、無動力では旋回時に抵抗が大きく、旋回をうまくできない。また、動力を積んだ重量のある台車が直接クローラのベルトを踏むため、ベルトの中に鉄線などを通して補強しており、スムーズに回すためには大きなプーリーが必要になり、クローラ自体の重量を重くさせていた。その上、プーリーが大きくなると、高さも必要となるため、搬送台車においては積載面が高くなる問題も起こる。
さらには、戦車のように、障害物（砂、石、段差）などに対して圧倒的に大きなプーリーと、衝撃を吸収し、地面に追従する機構があるものは良いが、その機構をそのまま小さくして段差を吸収する機構が無い場合、障害物を越える際にプーリーが障害物に引っかかってしまって採用できない。
【０００６】
したがって、本発明の目的は、上記の課題を鑑みてなされたもので、クローラユニットの履帯をアウターアタッチメント等の最少部品点数で構成し、履帯（ベルト）は、軽量で曲がり易い上、小さなプーリーでも走行に支障がなく、コンパクト設計のクローラユニットを提供することにある。
また、障害物の乗り越え時にプーリー間にアタッチメントが入り込むと、プーリーに障害物がもろに当たり、ひどい騒音と振動が発生するので、履帯がプーリーの外周を通る時には、アタッチメント同士が内側には曲がるが、プーリー間にアタッチメントが入り込み難いように、地面を通る時には外側にはフラット以上になりにくい構造とし、悪路においても履帯がフラットな状態を維持して、ひどい路面を難なく走行できる耐久性に優れたクローラユニットを使用した悪路用運搬台車を提供することにある。
さらに、アタッチメントがベルトから外れることなく、安定した構造で履帯を剛直にさせ、複数のプーリーをスムーズに循回する高品質なクローラユニットや、それに好適な悪路用運搬台車を提供することにある。
【課題を解決するための手段】
【０００７】
上述の課題を解決するための手段として、請求項１に記載した発明に係るクローラユニットは、複数のプーリー６を循回する履帯１が設けられたクローラユニット５において、
前記履帯１は、外周に複数のアウターアタッチメント２を帯状に設けて構成され、前記複数のアウターアタッチメント２の隣り合う前後面２０ｂ、２０ｂ´の一方には規制凹部２０ｄ（２０ｄ´）、他方には規制突起２０ｃ（２０ｃ´）が設けられ、前記規制凹部２０ｄ（２０ｄ´）に前記規制突起２０ｃ（２０ｃ´）が入り込んで、前記アウターアタッチメント２、２同士が位置決め規制されることを特徴とする。
【０００８】
請求項２に記載した発明は、請求項１に記載のクローラユニット５において、前記履帯１に、所定位置に貫通孔４０を設けたベルト４及びインナーアタッチメント３が設けられ、前記アウターアタッチメント２と前記インナーアタッチメント３が前記貫通孔４０を介してベルト４を挟むように合体して、外周に複数の前記アウターアタッチメント２を帯状に設けた履帯１に構成したことを特徴とする。
【０００９】
請求項３に記載した発明は、請求項１に記載のクローラユニット５において、前記アウターアタッチメント２は、板状の基部２０と同基部２０の両端に突出して設けられたサイド部２４、２４で成り、前記基部２０の上面に前記ベルト４の貫通孔４０に対応する位置の嵌合穴２１が設けられ、且つ両端のサイド部２４、２４間の外寄りの内部に係止穴２２が設けられ、前記インナーアタッチメント３は、一対の下向きの係止片３１、３１を有し、その係止片３１、３１間は前記ベルト４を上方から覆うのに十分な幅寸に設定され、前記係止片３１、３１の内部には下向きの突起３０を設け、インナーアタッチメント３の前記突起３０がベルト４の貫通孔４０を貫通し、アウターアタッチメント２の前記嵌合穴２１に嵌合され、且つ前記係止片３１が係止穴２２に係止されて、アウターアタッチメント２とインナーアタッチメント３がベルト４を挟むように合体されていることを特徴とする。
【００１０】
請求項４に記載した発明は、請求項１〜３のいずれか一に記載のクローラユニット５において、前記アウターアタッチメント２の両端に突出するサイド部２４、２４の間隔は、クローラユニット本体５に取付けられたプーリー６が納まるに十分な幅寸Ｗに設定され、前記アウターアタッチメント２のサイド部２４近傍の基部２０の上面２３に接触する前記プーリー６が回転する構成であることを特徴とする。
【００１１】
請求項５に記載した発明は、請求項１〜４のいずれか一に記載のクローラユニット５において、前記アウターアタッチメント２のサイド部２４には、上方が先細る先端部２４ａ  が形成され、隣り合う当該アウターアタッチメント２の前後面２０ｂ、２０ｂ´に設けられた突起又は突条２０ａ、２０ａ同士が当接し、当該アウターアタッチメント２がベルト４に取付けられ、履帯１が内方に曲がる際、隣り合う前記アウターアタッチメント２、２同士は、サイド部２４の先細る先端部２４ａ、２４ａ同士が内方に曲がることによりお互いに干渉しないで曲がり、履帯１が外方に曲がる際、隣り合う前後の前記アウターアタッチメント２、２の突起又は突条２０ａ、２０ａ同士が当接して履帯１がフラット状態を保つことを特徴とする。
【００１２】
請求項６に記載した発明は、請求項１〜５のいずれか一に記載のクローラユニット５において、前記アウターアタッチメント２の地面との接触面２５は湾曲状に形成され、旋回に優れた構成とされている事を特徴とする。
【００１３】
請求項７に記載した発明は、請求項１〜６のいずれか一に記載のクローラユニット５において、前記履帯１のアウターアタッチメント２とインナーアタッチメント３は、PA樹脂、ガラス入りPA樹脂、PBT樹脂、ガラス入りPBT樹脂、POM樹脂、ガラス入りPOM樹脂のいずれかの成形品であることを特徴とする。
【００１４】
請求項８に記載した発明に係る悪路用運搬台車９は、前記請求項１〜７に記載のいずかのクローラユニット５を使用して構成されていることを特徴とする。
【発明の効果】
【００１５】
本発明に係るクローラユニットによれば、以下の効果を奏する。
（１）プーリーが、ゴム状のベルトではなく硬質なアウターアタッチメント上を踏んで回転する構造なので、地面との旋回抵抗が低くなり、小さなプーリーの径でも履帯がスムーズに循回する。その上、全体としてコンパクト設計でありながら強度があり、動きがスムーズなクローラユニットが提供される。
（２）アウターアタッチメントの前後面の一方に規制突起、他方の面に規制凹部を設け、隣接する一方の規制凹部に他方の規制突起が入り込んで隣接するアウターアタッチメント同士のお互いの位置ズレを規制して履帯全体が剛直になり、ベルトからアウターアタッチメントとインナーアタッチメントが外れ難い高品質なクローラユニットが実現される。
（３）プーリーの外周上で履帯が内方に曲がるとき、アウターアタッチメントの隣り合うサイド部同士は当接しないで干渉を起こさずに確実に曲がる。一方、地面を走行時の履帯が外方に（上に凸状に）曲がろうとするときは、側面同士が当接して干渉を起こし、履帯はフラット状態を保つ。よって、プーリー間にアタッチメントが入りにくいので、路面に段差等があってもプーリーにぶつからず、スムーズに走行ができる。
（４）アウターアタッチメントは滑りが良く、かつ削れ難いように高い硬度の材質を選定し、接地形状をなるべく抵抗を減らす形状にしたことにより、従来のクローラに比べて手で回し動かすことが可能な旋回性能を有し、使い勝手がよい。
（５）ベルトの長さとアウターアタッチメント（インナーアタッチメント）の数を変えることで、様々な長さ、角度のクローラを作ることができる柔軟性にも優れている。
【図面の簡単な説明】
【００１６】
【図１】本発明のクローラユニットを示した全体斜視図である。
【図２】クローラユニットの側面図である。
【図３】履帯のアウターアタッチメントとインナーアタッチメントを分解して示した分解斜視図である。
【図４】Ａ、Ｂは、アウターアタッチメントとインナーアタッチメントの合体状態を示した前方斜視図（Ａ）と後方斜視図（Ｂ）である。
【図５】アウターアタッチメントとインナーアタッチメントの合体状態を示した平面図（Ａ）、正面図（Ｂ）、裏面図（Ｃ）、側面図（Ｄ）である。
【図６】クローラユニットを平面方向からみた部分拡大図である。
【図７】上図は、履帯におけるアウターアタッチメントの平坦面走行時の動作状況とコーナー回転時の動作状況を部分的に簡略して示した説明側面図、下図は、上図における部分拡大図である。
【図８】図７中のＡ-Ａ線断面矢視図である。
【図９】履帯におけるアウターアタッチメントのコーナー回転時の動作状況を示した拡大斜視図である。
【図１０】図９の異なる拡大斜視図である。
【図１１】履帯におけるプーリーの回転状態を示した拡大斜視図である。
【図１２】異なるアウターアタッチメントを示した前方斜視図（Ａ）と後方斜視図（Ｂ）である。
【図１３】異なるアウターアタッチメントとインナーアタッチメントを分解して示した分解斜視図である。
【図１４】図１３のアウターアタッチメントとインナーアタッチメントのベルトへの合体状態を示した斜視図である。
【図１５】クローラユニットを悪路用運搬台車に適用した例を示した全体斜視図である。
【発明を実施するための形態】
【００１７】
以下に、図示した本発明に係るクローラユニットの実施形態を説明する。
本実施形態のクローラユニット５は、図１に示したように、複数のプーリー６を循回する帯状の履帯１が設けられて成り、例えば図１５に示したような悪路用運搬台車９（後述）等に好適に使用されるものである。
【００１８】
この履帯１は、複数のアウターアタッチメント２とインナーアタッチメント３と１本のベルト４とで構成され、ベルト４の内外で、合体された一組のアウターアタッチメント２とインナーアタッチメント３が、外周に連続して帯状に複数設けられている。当該アウターアタッチメント２とインナーアタッチメント３は、いろんな地面に接地することが考えられるから、摩擦係数が比較的低く、かつ削ずれ難いように高い硬度を備え、機械的強度に優れたエンジアリングプラスチックを選定し、PA樹脂やガラス入りPA樹脂、PBT樹脂、ガラス入りPBT樹脂、POM樹脂、ガラス入りPOM樹脂のいずれかの成形品である。
なお、本実施形態では、インナーアタッチメント３を備えているが、インナーアタッチメント３を備えない実施態様も採用可能である（詳細説明は省略）。
前記ベルト４は、常に張力が掛かっているから、伸びが出難く寸法安定性に優れた曲がりやすい織物平ベルト等で構成され、帯状の長いベルトからクローラ全長に回し掛けられる長さに切断し、その両端を固定して無端ベルトに構成をしており、よって所望のクローラユニット５の大きさに合わせられる柔軟性を備え、実施例では２５ｍｍの所定間隔おきに、２つずつ並列して開けられた貫通孔４０が、全体に亘って複数設けられている。但し、貫通孔４０は、前記所定間隔おきに１つずつ開けて実施する形態でも採用可能である（図示は省略）。
【００１９】
本実施形態のクローラユニット５は、複数のアウターアタッチメント２の隣り合う前後面２０ｂ、２０ｂ´の一方には規制凹部２０ｄ（２０ｄ´）、他方には規制突起２０ｃ（２０ｃ´）が設けられ、前記規制凹部２０ｄ（２０ｄ´）に前記規制突起２０ｃ（２０ｃ´）が入り込んで、前記アウターアタッチメント２、２同士の位置が規制され上下方向にはズレないようにして、嵌合と不嵌合を繰り返しながらスムーズにプーリー６を循回する構成である。
図３〜図６に示したアウターアタッチメント２の構成について述べる。
このアウターアタッチメント２は、基本的に板状の基部２０と、同基部２０の両端に突出したサイド部２４、２４とより成る。前記基部２０の上面に、前記ベルト４の並列配置の２つの貫通孔４０、４０に対応する位置の２つの嵌合穴２１、２１が設けられている。
また、両端のサイド部２４、２４間の外寄りの内部に係止穴２２、２２がそれぞれ設けられている。後述するインナーアタッチメント３の係止片３１、３１を係止するためである。
【００２０】
前記両端に突出するサイド部２４、２４の間隔は、クローラユニット５の本体に取付けられたプーリー６が納まり、回転するに十分な幅寸Ｗ（本実施例ではＷ＝５２ｍｍ）（図８参照）に設定され、プーリー６の側面を前記サイド部２４、２４が囲んでいるので、アウターアタッチメント２（履帯１）が、プーリー６の側面を囲んで循回し、旋回する時に横方向へ力が掛かったとしても履帯１をプーリー６から外れ難くして、プーリー６が、前記アウターアタッチメント２のサイド部２４近傍の基部２０の上面２３に接触して回転するようになっている（図４、図５Ｂ、１１参照）。
【００２１】
前記アウターアタッチメント２のサイド部２４の上方（図３参照）は、詳しく図５Ｂに正面方向から示したように、内向きに下降傾斜すると共に、前後面（２０ｂ、２０ｂ´）方向にもそれぞれ下降傾斜する傾斜部２４ｂを備えた先細る先端部２４ａに形成されている。そして、図７、図１１に示したように、履帯１の平坦走行時に、当該アウターアタッチメント２の隣り合う前面２０ｂと後面２０ｂ´に設けられた突条２０ａ、２０ａ同士が当接して（図６）、当該アウターアタッチメント２がベルト４に取付けられている。実は、隣り合う前記突条２０ａ、２０ａ同士が、当接（接触）する位置に配置する事が重要であり、図７、図９等から分かるように、プーリー６の周りの隣り合うアウターアタッチメント２同士の接地側があき、今度は図６、図７のように隣り合うアウターアタッチメント２同士は接触するから、隣り合うアウターアタッチメント２の基部の側面が面で接触すると異物を挟んで噛み易い事から、接触面積をなるべく少なくするため、突条２０ａを設けて前後面（２０ｂ、２０ｂ´）同士が逃がし面として面で接触しないようにされている。尚、図示は省略したが、上述した突条２０ａは、突起を直線上に並べた形にしても問題がない。
また、当該アウターアタッチメント２の地面との接地面２５は、その中央が下方に若干膨らんだ湾曲状に形成されていて（図８参照）、手押しの悪路用運搬台車９に取付けた場合に、接地抵抗を減らして旋回性能が上がる工夫もなされている。
【００２２】
さらに、アウターアタッチメント２は、後述するインナーアタッチメント３が走行時に外れ難くなって履帯として直線的に剛直な構成となっている。
図６、図７が分かり易いが、アウターアタッチメント２の基部２０の後面２０ｂに、複数の規制突起２０ｃ（２０ｃ´）が突設されていると共に、前記基部２０の前面２０ｂ´に複数の規制凹部２０ｄ（２０ｄ´）が設けられている。具体的には、基部２０の後面２０ｂ（側面）の内側に２つの規制突起２０ｃ、２０ｃ、その外側にそれぞれ規制突起２０ｃ´、２０ｃ´の合計４つの規制突起２０ｃ（２０ｃ´）が突設されている。同基部２０の前面２０ｂ´（側面）には、前記内側の２つの規制突起２０ｃ、２０ｃを受容するに十分な奥行・幅寸で凹んだ内側の規制凹部２０ｄと、前記外側の２つの規制突起２０ｃ´、２０ｃ´にそれぞれ対応する位置で受容する外側の２つの規制凹部２０ｄ´、２０ｄ´が、お互いに動かない様に、その規制凹部２０ｄ（２０ｄ´）とその突規制突起２０ｃ（２０ｃ´）が上下方向で当接する位置関係に位置決め規制されて設けられている。なお、基部２０の前面２０ｂ´に規制突起２０ｃ（２０ｃ´）、後面２０ｂに規制凹部２０ｄ（２０ｄ´）を設けて実施してもよい。
よって、隣接するアウターアタッチメント２、２の一方の規制凹部２０ｄ（２０ｄ´）に、他方の規制突起２０ｃ（２０ｃ´）が入り込んで、アウターアタッチメント２、２同士のお互いの上下のズレが規制され、走行時におけるインナーアタッチメント３の離脱が防止される。勿論、規制突起規制突起２０ｃ（２０ｃ´）と規制凹部２０ｄ（２０ｄ´）の左右方向にも当接するような大きさと位置関係にして、上下方向と一緒に左右方向のズレを規制しても差し支えがない（図示は省略）。
つまり、基部２０の後面２０ｂ又は前面２０ｂ´の規制凹部２０ｄ（２０ｄ´）に規制突起２０ｃ（２０ｃ´）が入り込んで、その前後面２０ｂ、２０ｂ´の各上下面で接触し、隣接するアウターアタッチメント２、２同士の上下の動きを規制したので、図６に示したように、水平方向に連なった直線状態全体として曲がらない履帯１になるが、図９のようにプーリー６の外周に沿って曲がる時には、開く方向に動くので入り込まないで規制がなくなり曲がる履帯１になっている。
【００２３】
次に、前記インナーアタッチメント３の構成について説明する。
図３に示したように、本実施形態のインナーアタッチメント３は、一対の下向きの係止片３１、３１を両端に有し、その係止片３１、３１間は前記ベルト４を上方から覆うのに十分な幅寸に突設され、前記係止片３１、３１間の内部には下向きの２つの突起３０、３０が設けられている。また、このインナーアタッチメント３の上部両端には、各々段差３１ａ、３１ａが設けられていて、作業者がこれを掴み易くし、その係止片３１ａ、３１ａをアウターアタッチメント２の係止穴２２、２２に係止（差込み）し易くされている。しかも、その低い段差面３１ａは、アウターアタッチメント２の上面２３と面一にされ、アウターアタッチメント２へ嵌り込む形のインナーアタッチメント３にして横にズレ難くし、係止片３１が係止穴２２から抜け難くなっている。
【００２４】
かくして、当該インナーアタッチメント３の突起３０、３０が、ベルト４の貫通孔４０を貫通し、前記アウターアタッチメント２の各嵌合穴２１、２１に嵌合されると共に、両端の各係止片３１、３１がアウターアタッチメント２の各係止穴２２、２２に係止されて、アウターアタッチメント２とインナーアタッチメント３がベルト４を挟むように合体されている。この一組ずつ合体されたアウターアタッチメント２とインナーアタッチメント３（図３〜図５）が、ベルト４を埋める形で帯状に複数取付けられる（図６、図１１）。よって、複数のアウターアタッチメント２がベルト４の外周４１に取付けられている（図１、図２、図７等参照）。
なお、上述したクローラユニット５は、履帯１の内外の側面に側面カバー７、７が取付けられ、その側面カバー７、７の前後の上面に、平坦面を有する取付板８、８が備え付けられている（図１、図２参照）。
【００２５】
図１２はアウターアタッチメント２の異なる実施例を示している。規制突起２０ｃ（２０ｃ´）と規制凹部２０ｄ（２０ｄ´）が共に同一側面に設けられたタイプである。
すなわち、図１２Ａに示したように、アウターアタッチメント２の基部２０の前面２０ｂには、後述する後面２０ｂ´の内側の２つの規制突起２０ｃ、２０ｃを受容するに十分な奥行・幅寸で凹んだ内側の規制凹部２０ｄと、その、内側の規制凹部２０ｄの両側にそれぞれ外側の規制突起２０ｃ´、２０ｃ´が突設されている。そして、基部２０の後面２０ｂ´には、図１２Ｂに示したように、内側に２つの規制突起２０ｃ、２０ｃが突設され、その内側の２つの規制突起２０ｃ、２０ｃの両側にそれぞれ外側の規制凹部２０ｄ´、２０ｄ´が設けられている。
このようなアウターアタッチメント２によっても、上記図４のアウターアタッチメント２と同様に、隣接するアウターアタッチメント２、２の一方（前面２０ｂ）に形成の規制凹部２０ｄ及び規制突起２０ｃ´、２０ｃ´に、他方（後面２０ｂ´）の規制突起２０ｃ、２０ｃ及び規制凹部２０ｄ´、２０ｄ´がお互いに入り込んで、アウターアタッチメント２、２同士のお互いの上下のズレが規制され、走行時におけるインナーアタッチメント３の離脱が確実に防止される。
【００２６】
また、図１３と図１４に示した簡便な構造のアウターアタッチメント２とインナーアタッチメント３とで実施することも可能である。
すなわち、本実施形態のインナーアタッチメント３は、全体形状が下向きコ字状に形成され、一対の下向きの係止片３１、３１を両端に有し、その係止片３１、３１間は上記ベルト４を上方から覆うのに十分な幅寸に突設され、前記係止片３１、３１間の内部には下向きの２つの突起３０、３０が設けられている。
一方、このアウターアタッチメント２も、上述したアウターアタッチメント２と基本構造は同じく、板状の基部２０と、同基部２０の両端に突出したサイド部２４、２４とより成り、前記基部２０の上面に、前記ベルト４の並列配置の２つの貫通孔４０、４０に対応する位置の２つの嵌合穴２１、２１が設けられている。そして、前記インナーアタッチメント３の係止片３１、３１を係止する係止穴２２、２２が、両端のサイド部２４、２４間の外寄りの内部にそれぞれ設けられている。
また、同様に、前記両端に突出するサイド部２４、２４の間隔は、プーリー６が納まり、回転するに十分な幅寸に設定され、プーリー６の側面を前記サイド部２４、２４が囲んでいるため、アウターアタッチメント２（履帯１）が、プーリー６の側面を囲んで循回し、旋回する時に横方向へ力が掛かったとしても履帯１をプーリー６から外れ難くして、プーリー６が、サイド部２４の近傍の基部２０の上面２３に接触して回転するようになっている。
前記サイド部２４の上方は、内向きに下降傾斜すると共に、前後面（２０ｂ、２０ｂ´）方向にもそれぞれ下降傾斜する傾斜部２４ｂ、２４ｂを備えた先細る先端部２４ａに形成されている。そして、履帯１の平坦走行時に、当該アウターアタッチメント２の隣り合う前面２０ｂと後面２０ｂ´に設けられた突条２０ａ、２０ａ同士が線で当接する配置で当該アウターアタッチメント２がベルト４に取付けられる構成である。
【００２７】
したがって、この簡便構造を使用したクローラユニット５の履帯１でも、内方に曲がる際、即ち、履帯１が前後においてプーリー６を循回するときは、隣り合う前記アウターアタッチメント２同士は、サイド部２４、２４の先細る傾斜部２４ｂ、２４ｂ同士が内方に曲がることにより、お互いに干渉しないで曲がる。一方、履帯１が外方に曲がろうとする際には、隣り合うアウターアタッチメント２の前後の突条２０ａ、２０ａ同士が当接して干渉を起こし、履帯１がフラット状態を保持する。よって、履帯１が外方へ（上に凸状に）曲がる虞れがなく、プーリー６間にアウターアタッチメント２等が入り込まず、プーリー６に障害物がもろに当たらないから障害物をスムーズに乗り越えられる。
【００２８】
図１５は、上述したクローラユニット５を使用して構成された悪路用運搬台車９を示している。同図中、符号９０は、クローラユニット５（履帯１）の取付板８の上面に設置された基台たる載置台を示し、符号９１は取っ手を示している。積雪した路面や土等の柔らかい路面や凸凹等の路面環境が悪い悪路にも適応できる。
尚、実施例ではプーリー６をたくさん設けているが、プーリー６間にアウターアタッチメント２が入り込まない間隔にすればよく、振動及び騒音が許せる範囲で実施例よりも少ないプーリー数とすることも可能である。
【００２９】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００３０】
１        履帯
２        アウターアタッチメント
２０      基部
２０ａ    突条（突起）
２０ｂ    後面
２０ｂ´  前面
２０ｃ    規制突起（内側）
２０ｃ´  規制突起（外側）
２０ｄ    規制凹部（内側）
２０ｄ´  規制凹部（外側）
２１      嵌合穴
２２      係止穴
２３      上面
２４      サイド部
２４ａ    先端部
２４ｂ    側面
２５      接地面
３        インナーアタッチメント
３０      突起
３１      係止片
３１ａ    段差
４        ベルト
４０      貫通孔
４１      外周
５        クローラユニット
６        プーリー
９        悪路用運搬台車
【図１】
2019142485.tif 000003
【図２】
2019142485.tif 000004
【図３】
2019142485.tif 000005
【図４】
2019142485.tif 000006
【図５】
2019142485.tif 000007
【図６】
2019142485.tif 000008
【図７】
2019142485.tif 000009
【図８】
2019142485.tif 000010
【図９】
2019142485.tif 000011
【図１０】
2019142485.tif 000012
【図１１】
2019142485.tif 000013
【図１２】
2019142485.tif 000014
【図１３】
2019142485.tif 000015
【図１４】
2019142485.tif 000016
【図１５】
2019142485.tif 000017